【手続補正書】
【提出日】平成20年1月8日(2008.1.8)
【手続補正１】
【補正対象書類名】特許請求の範囲
【補正対象項目名】全文
【補正方法】変更
【補正の内容】
【特許請求の範囲】
【請求項１】
イメージ周波数が無線通信に使用されていない周波数帯域内となる局部発振周波数を用いた局部発振信号を生成する局部発振器と、
前記局部発振信号と受信信号とを混合することにより、前記受信信号を中間周波信号に変換する混合器と、
前記中間周波信号のフィルタリングを行う中間周波フィルタとを有することを特徴とする情報受信装置。
【請求項２】
イメージ周波数が放送に使用されていない周波数帯域内となる局部発振周波数を用いた局部発振信号を生成する局部発振器と、
前記局部発振信号と受信信号とを混合することにより、前記受信信号を中間周波信号に変換する混合器と、
前記中間周波信号のフィルタリングを行う中間周波フィルタとを有することを特徴とする情報受信装置。
【請求項３】
イメージ周波数が放送のチャンネル間の未使用の周波数帯域内となる局部発振周波数を用いた局部発振信号を生成する局部発振器と、
前記局部発振信号と受信信号とを混合することにより、前記受信信号を中間周波信号に変換する混合器と、
前記中間周波信号のフィルタリングを行う中間周波フィルタとを有することを特徴とする情報受信装置。
【請求項４】
イメージ周波数が放送のチャンネル間の未使用の周波数帯域内となる局部発振周波数を用いた局部発振信号を生成する局部発振器と、
前記局部発振信号と受信信号とを混合することにより、前記受信信号を中間周波信号に変換する混合器と、
前記中間周波信号のフィルタリングを行う中間周波フィルタと、
前記イメージ周波数が前記放送の信号の周波数帯域内となるように、前記局部発振器の局部発振周波数を設定する発振周波数設定手段とを有することを特徴とする情報受信装置。
【請求項５】
前記発振周波数設定手段は、前記イメージ周波数が前記放送の信号の周波数帯域よりも低い周波数で前記放送の信号の周波数帯域外になる場合には、前記局部発振器の局部発振周波数を前記受信信号よりも高い周波数に設定し、前記イメージ周波数が前記放送の信号の周波数帯域よりも高い周波数で前記放送の信号の周波数帯域外になる場合には、前記局部発振器の局部発振周波数を前記受信信号よりも低い周波数に設定することを特徴とする請求項４に記載の情報受信装置。
【請求項６】
イメージ周波数が無線通信に使用されていない周波数帯域内となる局部発振周波数を用いた第１局部発振信号を生成する第１局部発振器と、
前記第１局部発振信号と受信信号とを混合することにより、前記受信信号を第１中間周波信号に変換する第１混合器と、
前記第１中間周波信号のフィルタリングを行う第１中間周波フィルタと、
第２局部発振信号を生成する第２局部発振器と、
前記第２局部発振信号と前記第１中間周波信号とを混合することにより、前記第１中間周波信号を第２中間周波信号に変換する第２混合器と、
前記第２中間周波信号のフィルタリングを行う第２中間周波フィルタとを有することを特徴とする情報受信装置。
【請求項７】
イメージ周波数が放送に使用されていない周波数帯域内となる局部発振周波数を用いた第１局部発振信号を生成する第１局部発振器と、
前記第１局部発振信号と受信信号とを混合することにより、前記受信信号を第１中間周波信号に変換する第１混合器と、
前記第１中間周波信号のフィルタリングを行う第１中間周波フィルタと、
第２局部発振信号を生成する第２局部発振器と、
前記第２局部発振信号と前記第１中間周波信号とを混合することにより、前記第１中間周波信号を第２中間周波信号に変換する第２混合器と、
前記第２中間周波信号のフィルタリングを行う第２中間周波フィルタとを有することを特徴とする情報受信装置。
【請求項８】
イメージ周波数が放送のチャンネル間の未使用の周波数帯域内となる局部発振周波数を用いた第１局部発振信号を生成する第１局部発振器と、
前記第１局部発振信号と受信信号とを混合することにより、前記受信信号を第１中間周波信号に変換する第１混合器と、
前記第１中間周波信号のフィルタリングを行う第１中間周波フィルタと、
第２局部発振信号を生成する第２局部発振器と、
前記第２局部発振信号と前記第１中間周波信号とを混合することにより、前記第１中間周波信号を第２中間周波信号に変換する第２混合器と、
前記第２中間周波信号のフィルタリングを行う第２中間周波フィルタとを有することを特徴とする情報受信装置。
【請求項９】
イメージ周波数が放送のチャンネル間の未使用の周波数帯域内となる局部発振周波数を用いた第１局部発振信号を生成する第１局部発振器と、
前記第１局部発振信号と受信信号とを混合することにより、前記受信信号を第１中間周波信号に変換する第１混合器と、
前記第１中間周波信号のフィルタリングを行う第１中間周波フィルタと、
第２局部発振信号を生成する第２局部発振器と、
前記第２局部発振信号と前記第１中間周波信号とを混合することにより、前記第１中間周波信号を第２中間周波信号に変換する第２混合器と、
前記第２中間周波信号のフィルタリングを行う第２中間周波フィルタと、
前記イメージ周波数が前記放送の信号の周波数帯域内となるように、前記第１局部発振器の局部発振周波数を設定する発振周波数設定手段とを有することを特徴とする情報受信装置。
【請求項１０】
前記発振周波数設定手段は、前記イメージ周波数が前記放送の信号の周波数帯域よりも低い周波数で前記放送の信号の周波数帯域外になる場合には、前記第１局部発振器の局部発振周波数を前記受信信号よりも高い周波数に設定し、前記イメージ周波数が前記放送の信号の周波数帯域よりも高い周波数で前記放送の信号の周波数帯域外になる場合には、前記第１局部発振器の局部発振周波数を前記受信信号よりも低い周波数に設定することを特徴とする請求項９に記載の情報受信装置。
【請求項１１】
前記第１中間周波フィルタはＳＡＷフィルタであり、前記第１中間周波信号の周波数が３０〜６５ＭＨｚの範囲内となるように前記第１局部発振信号の局部発振周波数を設定することを特徴とする請求項６〜１０の何れか一項に記載の情報受信装置。
【請求項１２】
放送のチャンネルの選局操作を行う選局操作部と、局部発振信号源と、前記局部発振信号源から供給される局部発振信号と受信信号とを混合して中間周波信号を生成する混合器とを備えたスーパーヘテロダイン方式の情報受信装置であって、前記局部発振信号源は、局部発振信号の周波数に対応するイメージ周波数が送信電力の相対的に小さい局の送信電波の周波数帯域に属するように、前記選局操作部における選局結果に依拠して前記局部発振信号の周波数を前記受信信号よりも高い周波数に設定するか低い周波数に設定するかが切り替わるように構成されていることを特徴とする情報受信装置。
【請求項１３】
前記局部発振信号源は、前記選局操作部における選局結果に応じて、公開された放送局の送信周波数と送信電力とのデータを参照して前記局部発振信号の周波数を前記受信信号よりも高い周波数に設定するか低い周波数に設定するかの切り替えを制御するように構成されていることを特徴とする請求項１２に記載の情報受信装置。
【請求項１４】
前記スーパーヘテロダイン方式の情報受信装置は、ダブルスーパーヘテロダイン方式を採るものであり、前記局部発振信号源は最前段の局部発振信号源であり、且つ、前記混合器は当該最前段の局部発振信号源に対応するものであることを特徴とする請求項１２に記載の情報受信装置。
【請求項１５】
放送のチャンネルの選局操作を行う選局操作部と、局部発振信号源と、前記局部発振信号源から供給される局部発振信号と受信信号とを混合して中間周波信号を生成する混合器とを備えたスーパーヘテロダイン方式の情報受信装置であって、前記局部発振信号源は、局部発振信号の周波数に対応するイメージ周波数が送信電力の相対的に小さい局の送信電波の周波数帯域に属するように前記選局操作部における選局結果に依拠して当該局部発振信号の周波数を変更可能に構成されていることを特徴とする情報受信装置。
【請求項１６】
前記局部発振信号源は、前記選局操作部における選局結果に応じて、公開された放送局の送信周波数と送信電力とのデータを参照して当該局部発振信号の周波数を制御するように構成されていることを特徴とする請求項１５に記載の情報受信装置。
【請求項１７】
前記スーパーヘテロダイン方式の情報受信装置は、ダブルスーパーヘテロダイン方式を採るものであり、前記局部発振信号源は最前段の局部発振信号源であり、且つ、前記混合器は当該最前段の局部発振信号源に対応するものであることを特徴とする請求項１５に記載の情報受信装置。
【請求項１８】
前記放送はデジタル放送であることを特徴とする請求項１乃至１５の何れか一項に記載の情報受信装置。
【請求項１９】
前記デジタル放送は、地上デジタル放送の１セグメント放送であることを特徴とする請求項１６に記載の情報受信装置。
【手続補正２】
【補正対象書類名】明細書
【補正対象項目名】発明の名称
【補正方法】変更
【補正の内容】
【発明の名称】情報受信装置